(57)【要約】【課題】正確にシールド部材の異常を検出することができるシールド部材の異常検出方法及びシールド部材の異常検出装置を安価に提供する。【解決手段】送信アンテナＡＴ１１から送信される電波のうち最大強度の電波が反射部３１に向けて出射されるように、送信アンテナＡＴ１１が反射部３１に向けて配置される。そして、反射部３１で反射された最大強度の電波が受信アンテナＡＴ１２の最も受信しやすい方向から受信アンテナＡＴ１２の最も受信しやすい部分で受信できるように、受信アンテナＡＴ１２が反射部３１に向けて配置されている。【選択図】図１
2009236841.tif 000002
【特許請求の範囲】
【請求項１】
導電性を有する芯線、前記芯線を被覆する内部絶縁体、前記内部絶縁体の外周に巻き付けられたシールド部材、及び、前記シールド部材を被覆する外部絶縁体、を有する電線における前記シールド部材の異常を検出するシールド部材の異常検出方法において、
受信アンテナとの間に電線を挟む送信アンテナから送信されて前記送信アンテナ及び前記受信アンテナが前記電線を挟む方向と直交する方向側に配置した反射板で反射された後に前記受信アンテナで受信される電波のうち前記電線を経由しないで前記受信アンテナに受信される電波の受信レベルが前記電線を経由して前記受信アンテナに受信される電波の受信レベルよりも大きくなるように、前記送信アンテナ、前記受信アンテナ及び前記反射板を配置する工程と、
前記送信アンテナに電波を送信させる工程と、
前記送信アンテナが送信した電波を前記受信アンテナに受信させる工程と、
前記受信アンテナが受信した電波の受信レベルに基づいて前記シールド部材の異常を検出する工程と、を順に行うことを特徴とするシールド部材の異常検出方法。
【請求項２】
導電性を有する芯線、前記芯線を被覆する内部絶縁体、前記内部絶縁体の外周に巻き付けられたシールド部材、及び、前記シールド部材を被覆する外部絶縁体、を有する電線における前記シールド部材の異常を検出するシールド部材の異常検出装置において、
電波を送信する送信アンテナと、
前記送信アンテナとの間に前記電線を挟むように配置される受信アンテナであって、前記受信アンテナから送信された前記電波を受信する受信アンテナと、
前記送信アンテナ及び前記受信アンテナが前記電線を挟む方向と直交する方向側に配置した反射板と、を備え、そして、
前記送信アンテナから送信されて前記反射板で反射された後に前記受信アンテナで受信される電波のうち前記電線を経由しないで前記受信アンテナに受信される電波の受信レベルが前記電線を経由して前記受信アンテナに受信される電波の受信レベルよりも大きくなるように、前記送信アンテナ及び前記受信アンテナが設けられている
ことを特徴とするシールド部材の異常検出装置。
【請求項３】
前記送信アンテナから送信される電波のうち最大強度の電波が前記反射板に向けて出射されるように、前記送信アンテナが前記反射板に向けて配置され、そして、
前記反射板で反射された前記最大強度の電波が前記受信アンテナの最も受信しやすい方向から前記受信アンテナの最も受信しやすい部分で受信できるように、前記受信アンテナが前記反射板に向けて配置されている
ことを特徴とする請求項２に記載のシールド部材の異常検出装置。
【請求項４】
前記送信アンテナの大きさが前記電線よりも小さくなるように設けられ、そして、
前記送信アンテナから送信される電波のうち最大強度の電波が前記電線の中心に向かうように、前記送信アンテナが前記電線に向けて配置されている
ことを特徴とする請求項２に記載のシールド部材の異常検出装置。
【発明の詳細な説明】
【技術分野】
【０００１】
本発明は、シールド部材の異常検出装置に係り、特に、導電性を有する芯線、前記芯線を被覆する内部絶縁体、前記内部絶縁体の外周に巻き付けられたシールド部材、及び、前記シールド部材を被覆する外部絶縁体、を有する電線における前記シールド部材の異常を検出するシールド部材の異常検出方法及びシールド部材の異常検出装置に関するものである。
【背景技術】
【０００２】
上述した電線として、図８、図９に示すような、高圧電力を供給するためのＣＶケーブル１０が知られている。同図に示すように、ＣＶケーブル１０は、芯線１１と、内部絶縁体としての絶縁体１２と、シールド部材としての銅テープ１３と、外部絶縁体としてのシース１４と、を備えている。
【０００３】
芯線１１は、導電性を有する導体から成る。絶縁体１２は、架橋ポリエチレンなどから成り、芯線１１を被覆する。銅テープ１３は、外部からのノイズの進入を防止するために設けられている。銅テープ１３は、テープ状に設けられており、絶縁体１２の外周に巻き付けられる。シース１４は、ポリエチレンなどから成り、銅テープ１３を被覆する。
【０００４】
上述したＣＶケーブル１０は、布設状況や経年変化などによって銅テープ１３にズレが生じることがある。このズレにより、芯線１１には、場所によって銅テープ１３に覆われない部分が生じることがある。これにより、ＣＶケーブル１０の性能品質が劣化するという問題があった。
【０００５】
この銅テープ１３のズレを検出するために従来は、Ｘ線撮影を用いた方法が提案されている（例えば特許文献１〜４）。しかしながら、Ｘ線撮影できる装置は、装置自体が大きく、高価な上、撮影するには資格などを必要とするため汎用性が低いという問題があった。
【０００６】
そこで、本出願人は、図８、図９に示すようなシールド部材の異常検出装置を提案した（特許文献５、６）。まず、図８に示す異常検出装置について説明する。同図に示すように、異常検出装置は、ＣＶケーブル１０を送信アンテナＡＴ１１と受信アンテナＡＴ１２とで挟む構造であり、ＣＶケーブル１０内部の銅テープ１３の有無による電磁界分布の変化から銅テープ１３のズレ検出を行う。図８（Ａ）に示すように銅テープ１３がある場合は送信アンテナＡＴ１１から送信された電波のほとんどが銅テープ１３で反射されるため、受信アンテナＡＴ１２での受信レベルが低くなる。一方、図８（Ｂ）に示すように銅テープ１３がない場合は、芯線１１のみで送信アンテナＡＴ１１から送信された電波を反射するため、銅テープ１３がある場合に比べて受信アンテナＡＴ１２での受信レベルが大きくなる。この受信レベル差によりＣＶケーブル１０内部の銅テープ１３のズレ検出を行う。
【０００７】
次に、図９に示す異常検出装置について説明する。同図に示すように、異常検出装置は、上述したＣＶケーブル１０を送信アンテナＡＴ１１と受信アンテナＡＴ１２とで挟む構造に加えて、反射板７０を備えている。この反射板７０を設けることにより、受信アンテナＡＴ１２は、送信アンテナＡＴ１１から受信アンテナＡＴ１２に直接届く電波である直接波Ｗ３と、送信アンテナＡＴ１１から反射板７０で反射した後に受信アンテナＡＴ１２に届く反射波Ｗ４と、を受信する。図９（Ａ）及び（Ｂ）に示すように、反射波Ｗ４は、銅テープ１３がある場合と無い場合とでは経路長が異なり、結果直接波Ｗ３と反射波Ｗ４との干渉波の強度が異なる。
【０００８】
そこで、反射板７０の位置を調整して、銅テープ１３がある場合の反射波Ｗ４と直接波Ｗ３との干渉波の受信レベルが弱まり、かつ、銅テープ１３がない場合の反射波Ｗ４と直接波Ｗ３との干渉波の受信レベルが強まるように、反射波Ｗ４の経路長を調整する。これにより、銅テープ１３の有無による受信アンテナＡＴ１２での電波の受信レベル差をより一層大きくすることができる。
【０００９】
このように、図８及び図９に示す異常検出装置で銅テープ１３の有無による受信レベル差を大きくすることができるが、このため、受信器に高精度な（ダイナミックレンジの大きい）検波器を必要とし、コスト的に問題があった。また、図９に示す異常検出装置では、上述したように反射板７０の位置を調整する必要があり装置の設計自由度が低い、という問題があった。
【特許文献１】特公平６−８１３９６号公報
【特許文献２】特公平７−２１４６８号公報
【特許文献３】特開平６−２０７８２６号公報
【特許文献４】特開平５−２６６４７号公報
【特許文献５】特願２００６−２５４５５９号公報
【特許文献６】特願２００７−２００５８３号公報
【発明の開示】
【発明が解決しようとする課題】
【００１０】
そこで、本発明は、上記のような問題点に着目し、正確にシールド部材の異常を検出することができるシールド部材の異常検出方法及びシールド部材の異常検出装置を安価に提供することを課題とする。
【課題を解決するための手段】
【００１１】
上記の問題を解決するためには、受信レベル差を大きくしなくても正確にシールド部材の異常を検出できればよい。即ち、シールド部材が有る（正常な）場合受信レベルの変動がなく、シールド部材が無い（異常な）場合のみ受信レベルが変動すればよい。そもそも図８及び図９に示す異常検出装置ではシールド部材が有る（異常な）場合でも受信レベルが変動していた。このため、シールド部材が無い（異常な）場合受信レベルの変動を大きくする必要があった。本発明者は、シールド部材が有る（正常な）場合の受信レベルの変動を防止すべく検討を重ねた結果、送信アンテナから送信されて反射板で反射された後に受信アンテナで受信される電波のうち電線を経由しないで受信アンテナに受信される電波の受信レベルが電線を経由して受信アンテナに受信される電波の受信レベルよりも大きくすると、受信レベルの変動が小さくなることを見出し、本発明を完成するに至った。
【００１２】
即ち、請求項１記載の発明は、導電性を有する芯線、前記芯線を被覆する内部絶縁体、前記内部絶縁体の外周に巻き付けられたシールド部材、及び、前記シールド部材を被覆する外部絶縁体、を有する電線における前記シールド部材の異常を検出するシールド部材の異常検出方法において、受信アンテナとの間に電線を挟む送信アンテナから送信されて前記送信アンテナ及び前記受信アンテナが前記電線を挟む方向と直交する方向側に配置した反射板で反射された後に前記受信アンテナで受信される電波のうち前記電線を経由しないで前記受信アンテナに受信される電波の受信レベルが前記電線を経由して前記受信アンテナに受信される電波の受信レベルよりも大きくなるように、前記送信アンテナ、前記受信アンテナ及び前記反射板を配置する工程と、前記送信アンテナに電波を送信させる工程と、前記送信アンテナが送信した電波を前記受信アンテナに受信させる工程と、前記受信アンテナが受信した電波の受信レベルに基づいて前記シールド部材の異常を検出する工程と、を順に行うことを特徴とするシールド部材の異常検出方法に存する。
【００１３】
請求項２記載の発明は、導電性を有する芯線、前記芯線を被覆する内部絶縁体、前記内部絶縁体の外周に巻き付けられたシールド部材、及び、前記シールド部材を被覆する外部絶縁体、を有する電線における前記シールド部材の異常を検出するシールド部材の異常検出装置において、電波を送信する送信アンテナと、前記送信アンテナとの間に前記電線を挟むように配置される受信アンテナであって、前記受信アンテナから送信された前記電波を受信する受信アンテナと、前記送信アンテナ及び前記受信アンテナが前記電線を挟む方向と直交する方向側に配置した反射板と、を備え、そして、前記送信アンテナから送信されて前記反射板で反射された後に前記受信アンテナで受信される電波のうち前記電線を経由しないで前記受信アンテナに受信される電波の受信レベルが前記電線を経由して前記受信アンテナに受信される電波の受信レベルよりも大きくなるように、前記送信アンテナ及び前記受信アンテナが設けられていることを特徴とするシールド部材の異常検出装置に存する。なお、請求項中の電線を経由しないとは、電波が電線の芯線やシールド部材で１回も反射されないで受信アンテナに受信されることをいい、電線を経由するとは、電波が電線の芯線やシールド部材で１回でも反射されて受信アンテナに受信されることをいう。
【００１４】
請求項３記載の発明は、前記送信アンテナから送信される電波のうち最大強度の電波が前記反射板に向けて出射されるように、前記送信アンテナが前記反射板に向けて配置され、そして、前記反射板で反射された前記最大強度の電波が前記受信アンテナの最も受信しやすい方向から前記受信アンテナの最も受信しやすい部分で受信できるように、前記受信アンテナが前記反射板に向けて配置されていることを特徴とする請求項２に記載のシールド部材の異常検出装置に存する。
【００１５】
請求項４記載の発明は、前記送信アンテナの大きさが前記電線よりも小さくなるように設けられ、そして、前記送信アンテナから送信される電波のうち最大強度の電波が前記電線の中心に向かうように、前記送信アンテナが前記電線に向けて配置されていることを特徴とする請求項２に記載のシールド部材の異常検出装置に存する。
【発明の効果】
【００１６】
以上説明したように請求項１及び請求項２記載の発明によれば、シールド部材が有る（正常な）場合受信レベルの変動が少なく、シールド部材が無い（異常な）場合のみ受信レベルを変動させることができるため、高精度な検波器が必要ない。このため、正確にシールド部材の異常を検出することができる異常検出装置を安価に提供することができる。
【００１７】
請求項３記載の発明によれば、送信アンテナ及び受信アンテナの向きを調整するだけで、簡単に、電線を経由しないで受信アンテナに受信される電波の受信レベルが電線を経由して受信アンテナに受信される電波の受信レベルよりも大きくすることができる。また、受信アンテナに送信アンテナからの直接波が入射されることがほとんどないため、反射板の位置を調整する必要がなく、装置の設計自由度の向上を図ることができる。
【００１８】
請求項４記載の発明によれば、送信アンテナ及び受信アンテナの大きさを電線より小さく設けるだけで、簡単に、電線を経由しないで受信アンテナに受信される電波の受信レベルが電線を経由して受信アンテナに受信される電波の受信レベルよりも大きくすることができる。また、受信アンテナに送信アンテナからの直接波が入射されることがほとんどないため、反射板の位置を調整する必要がなく、装置の設計自由度の向上を図ることができる。
【発明を実施するための最良の形態】
【００１９】
第１実施形態
以下、本発明の一実施の形態を図面に基づいて説明する。図１は、本発明のシールド部材の異常検出装置２０の第１実施形態を示す構成図である。この異常検出装置２０は、例えば電線としてのＣＶケーブル１０の銅テープ１３の異常を検出する。ここで、銅テープ１３の異常とは、銅テープ１３がズレて、芯線１１の一部に銅テープ１３によって覆われていない部分が生じることをいう。
【００２０】
上記ＣＶケーブル１０は、背景技術で説明したように、芯線１１と、内部絶縁体としての絶縁体１２と、シールド部材としての銅テープ１３と、外部絶縁体としてのシース１４と、を備えている。芯線１１は、導電性を有する導体から成る。絶縁体１２は、架橋ポリエチレンなどから成り、芯線１１を被覆する。銅テープ１３は、テープ状に設けられており、絶縁体１２の外周に巻き付けられる。シース１４は、ポリエチレンなどから成り、銅テープ１３を被覆する。
【００２１】
異常検出装置２０は、シールドケース３０と、送信部４０と、受信部５０と、表示制御部６０と、表示器６１と、を備えている。箱型のシールドケース３０は、電波を反射する導体で形成されている。シールドケース３０には上記ＣＶケーブル１０を貫通させる図示しない一対の貫通孔が設けられている。シールドケース３０の貫通孔内にＣＶケーブル１０を貫通させると送信アンテナＡＴ１１及び受信アンテナＡＴ１２でＣＶケーブル１０を挟むように、送信アンテナＡＴ１１及び受信アンテナＡＴ１２がシールドケース３０内に収容されている。上記シールドケース３０において、送信アンテナＡＴ１１及び受信アンテナＡＴ１２がＣＶケーブル１０を挟む方向Ｙ１と直交する方向Ｙ２側に配置された部分を反射部３１とする。反射部３１は、方向Ｙ２と直交するように設けられている。この反射部３１が請求項中の反射板に相当する。
【００２２】
上記送信部４０は、所定周波数の発振信号を出力する発振回路４１と、発振信号を増幅する増幅器４２と、増幅された発振信号の受信を受けて所定周波数の電波を送信する送信アンテナＡＴ１１と、を備えている。上記受信部５０は、所定周波数の電波を受信する受信アンテナＡＴ１２と、受信アンテナＡＴ１２が受信した電波を復調して受信レベルに応じた受信レベル信号を表示制御部６０に対して出力する受信回路５１と、を備えている。送信アンテナＡＴ１１及び受信アンテナＡＴ１２は、シールドケース３０の反射部３１に向けて配置されている。表示制御部６０は、受信レベル信号から受信レベルを読み取って、その受信レベルを表示器６１に表示させる。
【００２３】
次に、上述した構成の異常検出装置２０の検出原理の一つとして考えられるものを図２に基づいて以下説明する。図２（Ａ）は、銅テープ１３がある場合の送信アンテナＡＴ１１から受信アンテナＡＴ１２に届く電波を示すイメージ図である。図２（Ｂ）は、銅テープ１３がない場合の送信アンテナＡＴ１１から受信アンテナＡＴ１２に届く電波を示すイメージ図である。図２中、矢印は、電波の進行をイメージしたものである。この矢印の太さが太いほど電波強度が大きいことを示す。
【００２４】
同図に示すように、送信アンテナＡＴ１１から送信されて反射部３１で反射された後に受信アンテナＡＴ１２で受信される電波の中には、ＣＶケーブル１０を経由しないで受信アンテナＡＴ１２に受信される第１の反射波Ｗ１と、ＣＶケーブル１０を経由して受信アンテナＡＴ１２に受信される第２の反射波Ｗ２と、がある。即ち、受信アンテナＡＴ１２は、上記第１の反射波Ｗ１と第２の反射波Ｗ２との干渉波を受信する。
【００２５】
図２（Ａ）に示すように、銅テープ１３がある場合、上記第２の反射波Ｗ２は、銅テープ１３→反射部３１→銅テープ１３の順で反射する経路を通って受信アンテナＡＴ１２に受信される。一方、図２（Ｂ）に示すように、銅テープ１３がない場合、上記第２の反射波Ｗ２は、芯線１１→反射部３１→芯線１１の順で反射する経路を通って受信アンテナＡＴ１２で受信される。絶縁体１２の厚さは約４〜５ｍｍあるため、以上からも明らかなように、銅テープ１３がある場合とない場合との第２の反射波Ｗ２の経路長が異なる。これに対して第１の反射波Ｗ１は、銅テープ１３の有無に関係なく経路長は一定である。このため、銅テープ１３の有無によって、第１の反射波Ｗ１及び第２の反射波Ｗ２の干渉波の強度が異なる。
【００２６】
ところで、本発明者らは、上述した背景技術で説明した銅テープ１３が有る（正常な）場合でも受信アンテナＡＴ１２の受信レベルが変動してしまう理由について鋭意探求したところ、送信アンテナＡＴ１１及び受信アンテナ１２をＣＶケーブル１０に対して保持する装置のガタなどにより、送信アンテナＡＴ１１−ＣＶケーブル１０間の距離、受信アンテナＡＴ１２−ＣＶケーブル１０間の距離、が走査に応じて変動してしまうからであると考えた。
【００２７】
また、ＣＶケーブル１０に向けて出射された電波の中には、銅テープ１３のズレ端面やＣＶケーブル１０の導体１１や銅テープ１３の長手方向の端面で反射する経路を通って受信アンテナＡＴ１２に届くものがあると考えられる。この経路の長さが走査に応じて変動するために、銅テープ１３が有る（正常な）場合でも受信アンテナＡＴ１２の受信レベルが変動してしまうと考えた。そこで、本発明者らは、上述した第１の反射波Ｗ１の受信レベルを第２の反射波Ｗ２の受信レベルよりも大きくすると、受信レベルの変動が小さくなるのではないかと考えた。
【００２８】
そこで、本発明者は、下記に示すように、送信アンテナＡＴ１１及び受信アンテナＡＴ１２を配置した。上記送信アンテナＡＴ１１及び受信アンテナ１２としては、例えば平面状の送信面、受信面を有するパッチアンテナが挙げられる。以下、送信アンテナＡＴ１１及び受信アンテナＡＴ１２としてパッチアンテナを用いた場合について説明する。図３は、パッチアンテナを用いた場合の送信アンテナＡＴ１１、受信アンテナＡＴ１２の指向性を示す図である。同図から明らかなように、送信アンテナＡＴ１１は、一方向の指向性を持っていて、送信面の中央を通りかつ送信面と直交する軸Ｚ１に沿って最大強度の電波が出射される。また、受信アンテナＡＴ１２は、送信アンテナＡＴ１１と同様に一方向の指向性を持っていて、受信面の中心を通りかつ受信面と直交する軸Ｚ２に沿って入射される電波を受信しやすい。
【００２９】
そこで、図１に示すように、送信アンテナＡＴ１１は、上記軸Ｚ１が反射部３１に向かうように、シールドケース３０内に設けられている。これにより、送信アンテナＡＴ１１から送信される電波のうち最大強度の電波が反射部３１に向けて出射されるように、送信アンテナＡＴ１１が反射部３１に向けて配置される。一方、受信アンテナＡＴ１２は、上記軸Ｚ２が反射部３１上で軸Ｚ１と交わるように、シールドケース３０内に設けられている。これにより、反射部３１で反射された最大強度の電波が受信アンテナＡＴ１２の最も受信しやすい方向から受信アンテナＡＴ１２の最も受信しやすい部分で受信できるように、受信アンテナＡＴ１２が反射部３１に向けて配置される。
【００３０】
このように送信アンテナＡＴ１１及び受信アンテナＡＴ１２を配置することにより、最大強度の電波がＣＶケーブル１０を経由しないで反射部３１で反射された後に受信アンテナＡＴ１２に受信される。送信アンテナＡＴ１１から送信される高度の弱い電波がＣＶケーブル１０を経由して反射部３１で反射された後に受信アンテナＡＴ１２に受信される。このとき、ＣＶケーブル１０方向のアンテナ利得は２ｄＢｉ、反射部３１方向のアンテナ利得は５ｄＢｉとなり、約２倍となる。
【００３１】
言い換えると、図３に示すように、送信アンテナＡＴ１１から送信されて反射部３１で反射された後に受信アンテナＡＴ１２で受信される電波のうちＣＶケーブル１０を経由しないで受信アンテナＡＴ１２に受信される第１の反射波Ｗ１の受信レベルがＣＶケーブル１０を経由して受信アンテナＡＴ１２に受信される第２の反射波Ｗ２の受信レベルよりも大きくなるように、送信アンテナＡＴ１１及び受信アンテナＡＴ１２が設けられている。
【００３２】
次に、本発明者は、図１に示す本発明の異常検出装置２０をそれぞれ製造し、図４（Ａ）及び（Ｂ）に示すように、１０ｍｍの銅テープ１３のズレが生じている場合の受信アンテナＡＴ１２の受信レベルと、銅テープ１３のズレが生じていない場合の受信アンテナＡＴ１２の受信レベルとを測定して、本発明の効果を確認した。なお、送信アンテナＡＴ１１の周波数は例えば２．４５ＧＨｚとした。同図に示すように、銅テープ１３のズレのない部分（銅テープ１３有り）では受信レベルの変動が±０．５ｄＢ程度となっている。図９に示す従来の異常検出装置２０の測定例の場合、銅テープ１３のズレのない部分（銅テープ１３有り）での受信レベルの変動は図１０に示すように１０ｄＢ程度である。それ故に、本発明の異常検出装置２０によれば、銅テープ１３のズレがない部分を走査したときの受信レベルの変動を小さくすることが分かった。また、同図（Ａ）に示すように、銅テープ１３のズレが生じている部分はその近辺で３ｄＢ程度の変動が見られることが分かった。
【００３３】
次に、上述した異常検出装置２０を用いた異常検出方法について説明する。まず、作業者は、上述したシールドケース３０の図示しない貫通穴にＣＶケーブル１０を通す。これにより、図１に示すように、ＣＶケーブル１０を挟むように送信アンテナＡＴ１１及び受信アンテナＡＴ１２が配置される。次に、作業者は、異常検出装置２０を走査して送信部４０の発振回路４１を発振させる。これにより、送信アンテナＡＴ１１から受信アンテナＡＴ１２に向かう電波が送信される。送信アンテナＡＴ１１から電波が送信されると、受信アンテナＡＴ１２はその電波を受信する。受信回路５１は、受信アンテナＡＴ１２が受信した電波を復調して受信レベルに応じた受信レベル信号を表示制御部６０に対して出力する。表示制御部６０は、受信レベル信号から受信レベルを読み取って、その受信レベルを表示器６１に表示させる。
【００３４】
次に、作業者は、表示器６１に表示された受信レベルを読み取って、読み取った受信レベルに変動がなければ（±０．５ｄＢ以下の変動であれば）、銅テープ１３に異常が生じていないと判断する。一方、読み取った受信レベルに変動があれば（３ｄＢ程度の変動があれば）、銅テープ１３がズレて異常が生じていると判断する。
【００３５】
次に、作業者は、シールドケース３０をＣＶケーブル１０に沿って移動させる。そして、表示器６１に表示された受信レベルを読み取って、ＣＶケーブル１０に異常が生じていないか検査する。作業者は、ＣＶケーブル１０の検査したい箇所の全長に亘ってシールドケース３０を移動させ、移動させる毎に表示器６１に表示された受信レベルを読み取って、ＣＶケーブル１０に異常が生じていないか検査する。
【００３６】
上述した異常検出装置２０によれば、送信アンテナＡＴ１１から送信されて反射部３１で反射された後に受信アンテナＡＴ１２で受信される電波のうち上記第１の反射波Ｗ１の受信レベルが上記第２の反射波Ｗ２の受信レベルよりも大きくなるように、送信アンテナＡＴ１１及び受信アンテナＡＴ１２が設けて、銅テープ１３が有る（正常な）場合での受信レベルの変動を小さくしている。これにより、銅テープ１３が無い（異常な）場合のみ受信レベルを変動させることができるため、高精度な検波器が必要ない。このため、正確に銅テープ１３の異常を検出することができる異常検出装置２０を安価に提供することができる。
【００３７】
また、上述した異常検出装置２０によれば、送信アンテナＡＴ１１から送信される電波のうち最大強度の電波が反射部３１に向けて出射されるように、送信アンテナＡＴ１１が反射部３１に向けて配置され、そして、反射部３１で反射された最大強度の電波が受信アンテナＡＴ１２の最も受信しやすい方向から受信アンテナＡＴ１２の最も受信しやすい部分で受信できるように、受信アンテナＡＴ１２が反射部３１に向けて配置することにより、第１の反射波Ｗ１の受信レベルが第２の反射波Ｗ２の受信レベルよりも大きくなるようにしている。これにより、送信アンテナＡＴ１１及び受信アンテナＡＴ１２の向きを調整するだけで、簡単に、第１の反射波Ｗ１の受信レベルが電線を第２の反射波Ｗ２の受信レベルよりも大きくすることができる。
【００３８】
また、上述した異常検出装置２０によれば、受信アンテナＡＴ１２に送信アンテナＡＴ１１からの直接波が入射されないため、第１の反射波Ｗ１と第２の反射波Ｗ２の経路長を調整しなくても図４に示すような特性が得られるため、反射部３１の配置位置、即ちシールドケース３０の形状を比較的自由に設計することができ、コストダウンを図ることができる。
【００３９】
第２実施形態
次に、第２実施形態における異常検出装置２０について図５及び図６を参照して説明する。なお、図５及び図６において、図１及び図２について上述した第１実施形態で既に説明した異常検出装置２０と同等の部分には同一符号を付してその詳細な説明を省略する。
【００４０】
同図に示すように、第１実施形態の異常検出装置２０と第２実施形態の異常検出装置２０とで大きく異なる点は、送信アンテナＡＴ１１及び受信アンテナＡＴ１２の構成及び位置である。上述した送信アンテナＡＴ１１及び受信アンテナＡＴ１２としては、例えば平面状の送信面、受信面を有するパッチアンテナが挙げられる。以下、第１実施形態と同様に、送信アンテナＡＴ１１及び受信アンテナＡＴ１２としてパッチアンテナを用いた場合について説明する。図５に示すように、送信アンテナＡＴ１１及び受信アンテナＡＴ１２は、使用周波数を高くして、ＣＶケーブル１０よりも小さくなるように設けられている。具体的には、送信アンテナＡＴ１１及び受信アンテナＡＴ１２のＣＶケーブル１０の径方向の高さＨが、ＣＶケーブル１０の径Ｒよりも小さくなるように設けられている。
【００４１】
また、送信アンテナＡＴ１１は、上記Ｚ１軸がＣＶケーブル１０の中心に向かうように、シールドケース３０内に配置されている。一方、受信アンテナＡＴ１２は、上記Ｚ２軸がＺ１軸上にあるように、シールドケース３０内に配置されている。これにより、図６（Ａ）及び（Ｂ）に示すように、送信アンテナＡＴ１１から送信される電波のうち最大強度の電波がＣＶケーブル１０の銅テープ１３や芯線１１に遮られて受信アンテナＡＴ１２まで届かない。結果、第１実施形態と同様に、第１の反射波Ｗ１の受信レベルが第２の反射波Ｗ２の受信レベルよりも大きくなるように、送信アンテナＡＴ１１及び受信アンテナＡＴ１２を設けることができる。
【００４２】
次に、本発明者は、図５に示す本発明の異常検出装置２０をそれぞれ製造し、図７（Ａ）及び（Ｂ）に示すように、１０ｍｍの銅テープ１３のズレが生じている場合の受信アンテナＡＴ１２の受信レベルと、銅テープ１３のズレが生じていない場合の受信アンテナＡＴ１２の受信レベルとを測定して、本発明の効果を確認した。なお、ここでは、直径Ｒ＝４０mm、シース１４の厚さ＝約５mm、銅テープ１３の直径＝約３０mmのＣＶケーブル１０を使用した。送信アンテナＡＴ１１の周波数は例えば５．８ＧＨｚとし、その大きさは２５×２５mmのものを用いた。同図に示すように、銅テープ１３のズレのない部分（銅テープ１３有り）では受信レベルの変動が±０．５ｄＢ程度となっている。図９に示す従来の異常検出装置２０での測定例の場合、銅テープ１３のズレがない部分での受信レベル変動は図１０に示すように１０ｄＢ程度である。それ故に、本発明の異常検出装置２０によれば、銅テープ１３のズレがない部分を走査したときの受信レベルの変動を小さくすることが分かった。また、同図（Ａ）に示すように、銅テープ１３のズレが生じている部分はその近辺で３ｄＢ程度の変動が見られることが分かった。
【００４３】
上述した異常検出装置２０によれば、第１実施形態と同様に、送信アンテナＡＴ１１から送信されて反射部３１で反射された後に受信アンテナＡＴ１２で受信される電波のうち上記第１の反射波Ｗ１の受信レベルが上記第２の反射波Ｗ２の受信レベルよりも大きくなるように、送信アンテナＡＴ１１及び受信アンテナＡＴ１２を設けることができ、銅テープ１３が有る（正常な）場合での受信レベルの変動を小さくすることができる。これにより、銅テープ１３が無い（異常な）場合のみ受信レベルを変動させることができるため、高精度な検波器が必要ない。このため、正確に銅テープ１３の異常を検出することができる異常検出装置２０を安価に提供することができる。
【００４４】
また、上述した異常検出装置２０によれば、送信アンテナＡＴ１１及び受信アンテナＡＴ１２の大きさをＣＶケーブル１０より小さく設けるだけで、簡単に、第１の反射波Ｗ１の受信レベルを第２の反射波Ｗ２の受信レベルよりも大きくすることができる。
【００４５】
なお、上述した実施形態によれば、送信アンテナＡＴ１１及び受信アンテナＡＴ１２としてパッチアンテナを用いていたが、本発明はこれに限ったものではない。例えば、送信アンテナＡＴ１１及びＡＴ１２としては、指向性を持ったアンテナであればよく、例えば、ホーンアンテナ、アレーアンテナなどを用いてもよい。
【００４６】
また、上述した実施形態では、送信アンテナＡＴ１１及び受信アンテナＡＴ１２を反射部３１に向けたり、ＣＶケーブル１０よりも小さい送信アンテナＡＴ１１及び受信アンテナＡＴ１２を用いることにより、第１の反射波Ｗ１の受信レベルを第２の反射波Ｗ２の受信レベルよりも大きくしていたが、本発明はこれに限ったものではない。第１の反射波Ｗ１の受信レベルを第２の反射波Ｗ２の受信レベルよりも大きくできれば、どんな構成や配置で送信アンテナＡＴ１１及び受信アンテナＡＴ１２を設けてもよい。
【００４７】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４８】
【図１】本発明のシールド部材の異常検出装置の第１実施形態を示す構成図である。
【図２】（Ａ）は第１実施形態において銅テープがある場合の送信アンテナから受信アンテナに届く電波を示すイメージ図であり、（Ｂ）は第１実施形態において銅テープがない場合の送信アンテナから受信アンテナに届く電波を示すイメージ図である。
【図３】パッチアンテナを用いた場合の送信アンテナ、受信アンテナの指向性を示す説明図である。
【図４】（Ａ）は図１に示す異常検出装置で銅テープのズレが生じているＣＶケーブルを走査して受信レベルを測定した結果を示すグラフであり、（Ｂ）は図１に示す異常検出装置で銅テープのズレが生じていないＣＶケーブルを走査して受信レベルを測定した結果を示すグラフである。
【図５】本発明のシールド部材の異常検出装置の第２実施形態を示す構成図である。
【図６】（Ａ）は第２実施形態において銅テープがある場合の送信アンテナから受信アンテナに届く電波を示すイメージ図であり、（Ｂ）は第２の実施形態において銅テープがない場合の送信アンテナから受信アンテナに届く電波を示すイメージ図である。
【図７】（Ａ）は図５に示す異常検出装置で銅テープのズレが生じているＣＶケーブルを走査して受信レベルを測定した結果を示すグラフであり、（Ｂ）は図５に示す異常検出装置で銅テープのズレが生じていないＣＶケーブルを走査して受信レベルを測定した結果を示すグラフである。
【図８】本出願人が先に提案したシールド部材の異常検出装置の一例である。
【図９】本出願人が先に提案したシールド部材の異常検出装置の一例である。
【図１０】図９に示す異常検出装置でＣＶケーブルを走査して受信レベルを測定した結果を示すグラフである。
【符号の説明】
【００４９】
１０      ＣＶケーブル（電線）
１１      芯線
１２      絶縁体（内部絶縁体）
１３      銅テープ（シールド部材）
１４      シース（外部絶縁体）
３１      反射部（反射板）
ＡＴ１１  送信アンテナ
ＡＴ１２  受信アンテナ
【図１】
2009236841.tif 000003
【図２】
2009236841.tif 000004
【図３】
2009236841.tif 000005
【図４】
2009236841.tif 000006
【図５】
2009236841.tif 000007
【図６】
2009236841.tif 000008
【図７】
2009236841.tif 000009
【図８】
2009236841.tif 000010
【図９】
2009236841.tif 000011
【図１０】
2009236841.tif 000012